(57)【要約】【課題】本発明は日除け、目隠しの機能のほか、夜間の照明機能と美観の向上を図ることができるブラインドを得るにある。【解決手段】多数枚の帯状の遮光板を用いたブラインドにおいて、前記多数枚の遮光板を蓄光剤で夜間に発光するようにしてブラインドを構成している。【選択図】  図６
2005016055.tif 000002
【特許請求の範囲】
【請求項１】
多数枚の帯状の遮光板を用いたブラインドにおいて、前記多数枚の遮光板を蓄光剤で夜間に発光するようにしたことを特徴とするブラインド。
【請求項２】
多数枚の帯状の遮光板を用いたブラインドにおいて、前記多数枚の遮光板の外側面全体あるいは模様となるように蓄光剤の塗布あるいは蓄光フィルムを貼着したことを特徴とするブラインド。
【発明の詳細な説明】
【０００１】
【発明の属する技術分野】
本発明はブラインドに関する。
【０００２】
【従来の技術】
従来のブラインドは日除け、目隠しのために多数枚の帯状の遮光板をほぼ３６０゜回転可能で、かつ伸縮可能に取付けられている。
【０００３】
【発明が解決しようとする課題】
従来のブラインドは日除け、目隠しの機能しかなく、十分に活用されていないという欠点があった。
【０００４】
本発明は以上のような従来の欠点に鑑み、日除け、目隠しの機能のほか、夜間の照明機能と美観の向上を図ることができるブラインドを提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明は多数枚の帯状の遮光板を用いたブラインドにおいて、前記多数枚の遮光板を蓄光剤で夜間に発光するようにしてブラインドを構成している。
【０００７】
【発明の実施の形態】
以下、図面に示す実施の形態により、本発明を詳細に説明する。
【０００８】
図１ないし図７に示す本発明の第１の実施の形態において、１は本発明のブライントで、このブラインド１は窓枠２の上部枠材２ａに複数個の取付金具３によって固定された上部開口のコ字状の上部支持バー４と、この上部支持バー４内の両端部寄りの部位、この両端部寄り間を３等分する部位の４箇所に取付けられたコ字状の軸受部材５、５、５、５と、この軸受部材５、５、５、５に回転可能に取付けられた六角形状の軸６と、この軸６の前記軸受部材５、５、５、５内に位置する部位に固定された巻取りドラム７、７、７、７と、前記上部支持バー４の一端部に取付けられた、前記軸６をパイプ状のユニバーサルジョイント８を介したパイプ状の操作杆９の回動によって正・逆回転させることができる軸回動機構１０と、前記上部支持バー４の下部に外側面に蓄光剤１１が塗布された多数枚の帯状の遮光板１２を介して設けられた下部バー１３と、この下部バー１３の両端部寄りの中央部に一端部が固定され、他端部が前記多数枚の遮光板１２の両端部寄りの中央部に形成された透孔１４、１４を通過し、前記両端部の軸受部材５、５、ユニバーサルジョイント８および操作杆９を通過して下方へ突出させた吊り上げ下げロープ１５、１５と、前記下部バー１３の前記軸受部材５、５、５、５と対応する部位の前面および後面に一端部が固定され、他端部が前記多数枚の遮光板１２の前面および後面にそれぞれ所定間隔で固定され、前記上部支持バー４の底面に形成された透孔１６、１６、１６、１６より前記巻取りドラム７、７、７、７に固定された４対の遮光板回動ロープ１７、１７、１７、１７と、前記操作杆９の下部寄りの部位に取付けられた前記吊り上げ下げロープ１５、１５を所定位置で巻付け係止する係止片１８とで構成されている。
【０００９】
上記構成のブラインド１は従来と同様に吊り上げ下げロープ１５、１５の伸縮によって、ブラインド１の位置する部位を調整するとともに、操作杆９を回動させることにより、多数枚の遮光板１２をほぼ３６０゜回動させることができる。
このため、日中はブラインド１の下部バー１３を最下部に位置させ、多数枚の遮光板１２で室内に直射日光が入らないように位置させることにより、外側面に直射日光が当り、蓄光剤１１に光が蓄えられる。
夜間になると蓄光剤１１に蓄えられた光が発光するので、そのまま外側面を外側に位置させておくことにより、留守でも室内が照明されているように見せることができ、盗難防止効果が得られる。
また、多数枚の遮光板１２をほぼ３６０゜回動させることにより、外側面が内側に位置し、室内の照明や室内の雰囲気や美観の向上を図ることができる。
【００１０】
【発明の異なる実施の形態】
次に、図８ないし図１６に示す本発明の異なる実施の形態につき説明する。なお、これらの本発明の異なる実施の形態の説明に当って、前記本発明の第１の実施の形態と同一構成部分には同一符号を付して重複する説明を省略する。
【００１１】
図８ないし図１０に示す本発明の第２の実施の形態において、前記本発明の第１の実施の形態と主に異なる点は、蓄光フィルム１９を外側面に貼着した多数枚の遮光板１２Ａを用いた点で、このような多数枚の遮光板１２Ａを用いて構成したブラインド１Ａにしても、前記本発明の第１の実施の形態と同様な作用効果が得られる。
【００１２】
図１１ないし図１３に示す本発明の第３の実施の形態において、前記本発明の第１の実施の形態と主に異なる点は、蓄光剤を混合した合成樹脂材で形成された多数枚の遮光板１２Ｂを用いた点で、このような多数枚の遮光板１２Ｂを用いて構成したブラインド１Ｂにしても、前記本発明の第１の実施の形態と同様な作用効果が得られる。
【００１３】
図１４ないし図１６に示す本発明の第４の実施の形態において、前記本発明の第１の実施の形態と主に異なる点は、多数枚の外側面に蓄光剤１１の塗料あるいは蓄光フィルム１９によって絵や文字等の模様２０を形成した遮光板１２Ｃを用いた点で、このような多数枚の遮光板１２Ｃを用いて構成したブラインド１Ｃにしても、前記本発明の第１の実施の形態と同様な作用効果が得られるとともに、お店等の広告、宣伝や窓部の装飾を図ることができる。
【００１４】
なお、本発明は多数枚の帯状の遮光板を用いたブラインドであれば遮光板の開閉機構、遮光板の上げ下げ機構等は従来から一般にブラインドで使用されているどんな機構を使用しても良い。
【００１５】
【発明の効果】
以上の説明から明らかなように、本発明にあっては次に列挙する効果が得られる。
【００１６】
（１）多数枚の帯状の遮光板を用いたブラインドにおいて、前記多数枚の遮光板を蓄光剤で夜間に発光するようにしたので、従来の日除け、目隠し機能に、夜間の照明機能を付加することができる。
したがって、夜間に室内の照明の補助や室内の雰囲気や美観の向上を図ることができる。
【００１７】
（２）前記（１）によって、多数枚の遮光板からの発光は日中の光によって蓄えられた光であるので、省エネルギーで手間をかけずに使用続けることができる。
【００１８】
（３）前記（１）によって、市販されているブラインドの多数枚の遮光板を蓄光剤で発光するようにするだけでよく、容易に実施することができる。
【００１９】
（４）請求項２も前記（１）〜（３）と同様な効果が得られるとともに、多数枚の遮光板の外側面に模様となるように畜光材の塗布あるいは畜光フィルムを貼着することにより、窓部分を広告、宣伝や装飾スペースとして使用することができる。
【図面の簡単な説明】
【図１】本発明の第１の実施の形態の正面図。
【図２】図１の２−２線に沿う拡大断面図。
【図３】図１の３−３線に沿う断面図。
【図４】本発明の第１の実施の形態の巻取りドラムの説明図。
【図５】本発明の第１の実施の形態の吊り上げ下げロープの説明図。
【図６】本発明の第１の実施の形態の日中の状態の動作説明図。
【図７】本発明の第１の実施の形態の夜間の状態の動作説明図。
【図８】本発明の第２の実施の形態の正面図。
【図９】図８の９−９線に沿う拡大断面図。
【図１０】本発明の第２の実施の形態の遮光板の説明図。
【図１１】本発明の第３の実施の形態の正面図。
【図１２】図１１の１２−１２線に沿う拡大断面図。
【図１３】本発明の第３の実施の形態の遮光板の説明図。
【図１４】本発明の第４の実施の形態の正面図。
【図１５】図１４の１５−１５線に沿う断面図。
【図１６】本発明の第４の実施の形態の背面図。
【符号の説明】
１、１Ａ、１Ｂ、１Ｃ：ブラインド、
２：窓枠、              ３：取付金具、
４：上部支持バー、      ５：軸受部材、
６：軸、                ７：巻取りドラム、
８：ユニバーサルジョイント、
９：操作杆、            １０：軸回動機構、
１１：蓄光剤、
１２、１２Ａ、１２Ｂ、１２Ｃ：遮光板、
１３：下部バー、        １４：透孔、
１５：吊り上げ下げロープ、
１６：透孔、            １７：遮光板回動ロープ、
１８：係止片、          １９：蓄光フィルム、
２０：模様。
【図１】
2005016055.tif 000003
【図２】
2005016055.tif 000004
【図３】
2005016055.tif 000005
【図４】
2005016055.tif 000006
【図５】
2005016055.tif 000007
【図６】
2005016055.tif 000008
【図７】
2005016055.tif 000009
【図８】
2005016055.tif 000010
【図９】
2005016055.tif 000011
【図１０】
2005016055.tif 000012
【図１１】
2005016055.tif 000013
【図１２】
2005016055.tif 000014
【図１３】
2005016055.tif 000015
【図１４】
2005016055.tif 000016
【図１５】
2005016055.tif 000017
【図１６】
2005016055.tif 000018